(57)【要約】【課題】点灯時に模様として認識ができて、意匠的に単調なイメージを与えることなく、消灯時に暗所で模様を浮かび上がらせることができる照明用カバーおよびこの照明用カバーを用いた照明器具を提供することにある。【解決手段】カバー基材（１）のどちらか片面に蓄光剤を配合して、透光性を有する蓄光層（２）を設けるとともに、この蓄光層（２）と異なる色度で透光性を有し、前記カバー基材（１）において、ランプ（５）と反対側の面に配置される色度層（１２）とを設けて、この色度層（１２）と前記蓄光層（２）とを所定の模様（３）に形成して、ランプ（５）の点灯時と消灯時において、前記蓄光層（２）と前記色度層（１２）とのいずれかの模様（３）を認識可能となした。【選択図】    図１
2004227803.tif 000002
【特許請求の範囲】
【請求項１】
カバー基材のどちらか片面に蓄光剤を配合して、透光性を有する蓄光層を設けるとともに、この蓄光層と異なる色度で透光性を有し、前記カバー基材において、ランプと反対側の面に配置される色度層とを設けて、この色度層と前記蓄光層とを所定の模様に形成して、ランプの点灯時と消灯時において、前記蓄光層と前記色度層とのいずれかの模様を認識可能となしたことを特徴とする照明用カバー。
【請求項２】
前記蓄光層と前記色度層とを重ねて配置したことを特徴とする請求項１記載の照明用カバー。
【請求項３】
前記カバー基材と前記蓄光層との間にプライマー層を形成することを特徴とする請求項１または請求項２記載の照明用カバー。
【請求項４】
請求項１ないし請求項３いずれか記載の照明用カバーをランプを有する照明器具本体に取り付けたことを特徴とする照明器具。
【発明の詳細な説明】
【０００１】
【発明の属する技術分野】
本発明は、照明用カバーおよびこの照明用カバーを用いた照明器具に関し、さらに詳しくは、点灯時に模様として認識ができて、意匠的に単調なイメージを与えることなく、消灯時に暗所で模様を浮かび上がらせることができる照明用カバーおよびこの照明用カバーを用いた照明器具に関するものである。
【０００２】
【従来の技術】
従来から、グローブやセードなどの照明用カバーに、蓄光剤を含有する塗装膜やシール状のもので、絵柄などのデザインを施した照明器具が提供されていたものである。
【０００３】
例えば、下記の特許文献１に示されている特開２０００―１１７０９号公報においては、取付け部材と取付け部材に取り付けられた照明灯と、照明灯を囲うように取付け部材に取り外し可能に固定された蓋材（グローブやセード）とを備え、照明灯からの光が蓋材を通して外部に照射されるように構成されている照明器具において、蓋材の外表面に蓄光体を用いて模様が形成された照明器具が開示されているものである。
【０００４】
また、下記の特許文献２に示されている特開２００２―１７０４１３号公報においては、器具本体の下面側に蛍光ランプを配設し、器具本体の下面側に蛍光ランプを覆うグローブを配設した照明器具において、グローブの表面に、蓄光材料と透明塗料とが特定の配合比率で配合された蓄光塗料からなる塗膜を形成した照明器具が開示されているものである。
【０００５】
さらに、下記の特許文献３に示されている特開平９―２４５５０９号公報においては、セードの表面に蓄光物質を備えた、あるいは埋設した照明器具、さらには蓄光物質を含んだ接着剤を塗布した照明器具が開示されているものである。
【０００６】
これらのものは、蓄光剤を蓄光体や蓄光塗料や蓄光物質といった表現を用いているものの、いずれも照明器具の消灯時に、図１２および図１３に示すごとく、カバー基材部（１０）表面、すなわち、カバー基材部（１０）の外側に構成された蓄光剤を含む蓄光層部（１１）が形成されているものであった。そして、この蓄光層部（１１）が模様をなしているものであり、このような模様の発光によって、暗所で同模様を浮かび上がらせて、美麗な演出効果を得ることができるものであった。
【０００７】
【特許文献１】
特開２０００―１１７０９号公報
【０００８】
【特許文献２】
特開２００２―１７０４１３号公報
【０００９】
【特許文献３】
特開平９―２４５５０９号公報
【００１０】
【発明が解決しようとする課題】
ところで、上述した蓄光層部（１１）は、照明器具に備えられたランプからの光を、アクリル樹脂、ポリスチレン樹脂、ガラスなどに代表されるカバー基材部（１０）を介して効率良く蓄光剤に到達させるために、透明樹脂に蓄光剤を配合した塗料をカバー基材部（１０）に塗布して形成されることが多いものであった。このような場合、蓄光層部（１１）は蓄光剤の固有色である黄緑系に着色されてしまうために、蓄光層部（１１）からなる模様も黄緑系の単一色となり、照明器具の点灯時に模様として認識ができるものの、意匠的に単調なイメージを与えがちであり、色彩表現を付加したものと比較して美観に乏しくなる傾向にあった。
【００１１】
そこで、蓄光層部（１１）に染料や顔料を配合することも考えられたが、添加量が少ないと、蓄光剤との混色になってしまうために、鮮明な発色が得られないものであった。よって、色彩効果を高めるには、染料や顔料の添加量を必然的に多くしなければならないが、これではランプからの光が蓄光剤に到達しにくく、また、蓄光剤の発光が染料や顔料に妨げられるために、照明器具の消灯時に、充分な輝度の発光が得られず、模様が鮮明に視認できないという問題があった。
【００１２】
本発明は、上述の事実に鑑みてなされたものであって、その目的とするところは、点灯時に模様として認識ができて、意匠的に単調なイメージを与えることなく、消灯時に暗所で模様を浮かび上がらせることができる照明用カバーおよびこの照明用カバーを用いた照明器具を提供することにある。
【００１３】
【課題を解決するための手段】
本発明の請求項１に係る照明用カバーは、カバー基材（１）のどちらか片面に蓄光剤を配合して、透光性を有する蓄光層（２）を設けるとともに、この蓄光層（２）と異なる色度で透光性を有し、前記カバー基材（１）において、ランプ（５）と反対側の面に配置される色度層（１２）とを設けて、この色度層（１２）と前記蓄光層（２）とを所定の模様（３）に形成して、ランプ（５）の点灯時と消灯時において、前記蓄光層（２）と前記色度層（１２）とのいずれかの模様（３）を認識可能となしたことを特徴とする。
【００１４】
本発明の請求項２に係る照明用カバーは、前記蓄光層（２）と前記色度層（１２）とを重ねて配置したことを特徴とする。
【００１５】
本発明の請求項３に係る照明用カバーは、前記カバー基材（１）と前記蓄光層（２）との間にプライマー層を形成することを特徴とする。
【００１６】
本発明の請求項４に係る照明器具は、請求項１ないし請求項３いずれか記載の照明用カバー（４）をランプ（５）を有する照明器具本体（６）に取り付けたことを特徴とする。
【００１７】
【発明の実施の形態】
以下、本発明の実施の形態を図面に基づいて詳細に説明する。
【００１８】
図１の（ａ）は、本発明の一実施形態に係る照明用カバーおよびこの照明用カバーを用いた照明器具を示し、ランプ点灯時の一部破断した概略図であり、図１の（ｂ）は、本発明の一実施形態に係る照明器具を示した概略図である。図２は、本発明の一実施形態に係る照明用カバーの模様を示した要部の概略図である。図３は、本発明の一実施形態に係る照明用カバーの模様の一部を示した要部の概略図である。
【００１９】
また、図４は、本発明の第１の実施形態に係る照明用カバーの模様を示した断面図である。図５は、本発明の第２の実施形態に係る照明用カバーの模様を示した断面図である。図６は、本発明の第３の実施形態に係る照明用カバーの模様を示した断面図である。そして、図７は、本発明の第４の実施形態に係る照明用カバーの模様を示した断面図である。図８は、本発明の第５の実施形態に係る照明用カバーの模様を示した断面図である。図９は、本発明の第６の実施形態に係る照明用カバーの模様を示した断面図である。図１０は、本発明の第７の実施形態に係る照明用カバーの模様を示した断面図である。さらに、図１１は、本発明の一実施形態に係る照明用カバーおよびこの照明用カバーを用いた照明器具を示し、ランプ消灯時の一部破断した概略図である。
【００２０】
本発明の照明用カバーは、図１ないし図１１に示すごとく、カバー基材（１）のどちらか片面に蓄光剤を配合して、透光性を有する蓄光層（２）を設けるとともに、この蓄光層（２）と異なる色度で透光性を有し、前記カバー基材（１）において、ランプ（５）と反対側の面に配置される色度層（１２）とを設けて、この色度層（１２）と前記蓄光層（２）とを所定の模様（３）に形成して、ランプ（５）の点灯時と消灯時において、前記蓄光層（２）と前記色度層（１２）とのいずれかの模様（３）を認識可能となしているものである。
【００２１】
本発明で用いられる照明用カバー（４）は、ランプ（５）を有する照明器具本体（６）に取り付けられるもので、例えば、同照明用カバー（４）は、図１の（ｂ）に示すごとく、照明器具本体（６）に設けられた受け部材（７）にて取り付けられているものである。また、前記ランプ（５）としては、例えば、照明器具本体（６）に適宜間隔で設けられた複数の支持バネ（８）を介して取り付けられるようになっているものである。さらに、同ランプ（５）の周囲には、必要に応じて、ランプ（５）から照射される光を反射することができるように反射板（９）が設けられているものである。なお、図１においては、洋風シーリングライトの例を示しているが、器具形態、絵柄などはこれに限定されるものではないものである。
【００２２】
前記カバー基材（１）としては、プラスチック、不織布（プラスチックベースのものも含む）、ガラス、布、紙、合成紙など、通常、照明器具や照明装置などに使用される材料を採用することができるものである。その中でも、形状優位性、生産性、軽量性、耐久性などの観点から、プラスチック基材がカバー基材（１）として多く用いられるものであり、特に、熱可塑性樹脂が多く用いられるものである。熱可塑性樹脂としては、アクリル樹脂、ポリスチレン樹脂、ポリカーボネート樹脂、ポリエチレン樹脂、ポリプロピレン樹脂、ポリエチレンテレフタレート樹脂、ノルボルネン系樹脂などがあり、公知のものを特に制限されることなく使用することができるものであるが、光透過性などの観点からアクリル樹脂、ポリスチレン樹脂、ポリカーボネート樹脂が好ましいものである。
【００２３】
これらの熱可塑性樹脂の中でも、アクリル樹脂、ポリスチレン樹脂、ポリカーボネート樹脂のような透明性の高い非晶性樹脂には、ランプのイメージを和らげるための光拡散剤を添加されることもある。光拡散剤としては、白色系の微粒子を用いることが多く、例えば、酸化チタン、炭酸カルシウム、硫酸バリウム、シリコンゴム、ガラスビーズ、合成シリカ、アクリルビーズ、ベンゾグアナミン樹脂などが挙げられるものであるが、所望の特性を確保できれば、特に限定されるものではなく、公知のものを制限なく使用することができるものである。
【００２４】
また、和風照明器具などに用いられる場合では、上記熱可塑性樹脂の他、アクリル樹脂、ポリエステル樹脂などのプラスチックをベースとした不織布も多くカバー基材（１）として使用されるものである。
【００２５】
上述したこれらのカバー基材（１）は、照明器具の形態によって、フィルムやシートで使用されたり、グローブやセードとして所望の形状に成形されたものが使用されるものである。このようなものの成形法としては、押出成形、真空成形、圧空成形、射出成形、プレス成形、ブロー成形、インフレーション成形などが挙げられ、特に限定されるものではなく、材質、形状、コストなどの面から任意に選択すれば良いものである。
【００２６】
このようなカバー基材（１）の上に蓄光剤を配合した蓄光層（２）を形成するものである。ここでいう蓄光層（２）は、透光性を有するものであって、樹脂と蓄光剤とからなっているものである。蓄光剤としては、例えば、バリウム、ストロンチウム、カルシウム、亜鉛、カドミウムなどの金属硫化物や、蛍光染料を縮合性合成樹脂の初期縮合物とともに溶解し、縮合を進めて樹脂中に色素を固定させるなどして得られる顔料や、下記一般式（Ｉ）のもの、すなわち、
ＭＡｌｘＯｘ・・・（Ｉ）
で表されるアルミン酸塩化合物を母結晶にした化合物、または、このアルミン酸塩化合物にマグネシウムを添加した化合物を母結晶にしたマグネシウム添加酸化物系化合物を挙げることができるものである。
【００２７】
ここで、一般式（Ｉ）において、Ｍはカルシウム、ストロンチウムおよびバリウムのうち少なくともいずれか一つのアルカリ土類金属である。また、これらのアルミン酸塩化合物もしくはマグネシウム添加酸化物系化合物に対して、賦活剤として、ユウロピウム（Ｅｕ）、ランタン（Ｌａ）、セリウム（Ｃｅ）、プラセオジウム（Ｐｒ）、ジスプロニウム（Ｄｙ）、ネオジウム（Ｎｄ）などのランタン系金属元素を添加した賦活蛍光体化合物等を用いても良いものである。
【００２８】
具体的には、ＳｒＡｌ２Ｏ４：Ｅｕ，Ｄｙ（緑色発光，ルミノーバ  Ｇ―３００Ｍ，根本特殊化学製）、Ｓｒ４Ａｌ１４Ｏ２５：Ｅｕ，Ｄｙ（青緑色発光，ルミノーバ  ＢＧ―３００Ｍ，根本特殊化学製）、ＣａＡｌ２Ｏ４：Ｅｕ，Ｎｄ（紫色発光，ルミノーバ  Ｖ―３００，根本特殊化学製）からなる蓄光性蛍光体などを挙げることができるものである。
【００２９】
このようなアルミン酸塩化合物系の蓄光剤は、金属硫化物系の蓄光剤に比べて残光輝度が高く、かつ、残光時間が長いなど、優れた残光特性を有しているために好適に用いられるものである。
【００３０】
ところで、本発明においては、前記蓄光剤は１種単独で用いても良いし、あるいは、２種以上を組み合わせて用いてもかまわないものである。
【００３１】
本発明の蓄光層（２）に用いる樹脂としては、従来公知のものを制限することなく採用することができるものである。このようなものには、熱可塑性樹脂、硬化性樹脂、ゴムなどが包含されるものである。本発明においては、特に硬化性樹脂の使用が好ましいものである。前記硬化性樹脂としては、熱硬化性や、光硬化性を有する従来公知のものを使用することができるものである。熱硬化性樹脂には、アクリル系（熱硬化タイプ）、ウレタン系、エポキシ系、ポリエステル系（アルキッド系）、シリコン系、酢酸ビニル・アクリル系などの各種のものが挙げられるものである。また、光硬化性樹脂としては、アクリル系樹脂などの従来公知のものを挙げることができるものである。樹脂バインダーとして、このような硬化性樹脂を用いることにより、耐熱性、耐久性の優れた蓄光層を得ることができるものである。
【００３２】
前記蓄光剤と前記樹脂との配合割合は、通常、重量比で１０：９０〜９０：１０の範囲である。樹脂固形分が１０重量パーゼント未満の場合は、蓄光層（２）の強度が得られず、蓄光剤が１０重量パーゼント未満の場合は、充分な輝度を有する発光が得られず、暗視性が確保できないものである。蓄光層（２）の塗膜強度および蓄光性能、特に暗視性の観点から、蓄光剤と樹脂との配合割合は、重量比で３０：７０〜７０：３０の範囲がより好ましく、所望の性能に応じて任意に設定すれば良いものである。
【００３３】
また、蓄光層（２）の厚みは、通常、２０〜１５０μｍの範囲である。蓄光層（２）の厚みが２０μｍ未満であると、充分な輝度を有する発光が得られず、暗視性が確保できないものである。また、逆に蓄光層（２）の厚みが１５０μｍを超えると、コスト面や作業性の面から好ましくないものである。蓄光性能、特に、暗視性および作業性の観点から、蓄光層（２）の厚みは、３０〜１００μｍの範囲がより好ましく、所望の性能に応じて任意に設定すればよいものである。
【００３４】
本発明の蓄光層（２）は、その成膜の際に、樹脂のバインダーに溶剤を混合したものに蓄光剤を配合して使用される他、樹脂のバインダーが液状樹脂である場合には、必ずしも溶剤の使用は必要とされないものであり、その液状樹脂に蓄光剤を配合することによって使用されることもある。このような際、塗工液には従来使用されている各種添加剤、例えば、界面活性剤、消泡剤、安定剤などを添加することが可能なものである。
【００３５】
本発明の照明用カバーにおいては、前記カバー基材（１）と前記蓄光層（２）との密着性を向上させるために、必要に応じて、同カバー基材（１）と同蓄光層（２）との間にプライマー層を設けても良いものである。また、他の方法としては、例えば、クロム酸処理などのケミカルエッチング処理、コロナ処理やプラズマ処理などのイオン化放射線処理、オゾン暴露、火災暴露や高圧電撃暴露などにより、カバー基材（１）表面を酸化させる化学的または物理的処理などの表面処理を施しても良いものである。
【００３６】
このような蓄光層（２）を、カバー基材（１）として用いられるフィルムやシート（後に形状体に成形されるものも含む）、あるいは、所望の形状に成形されたグローブやセードなどの成形体の表面に形成する方法としては、例えば、シルクスクリーン法、スプレー法、ディッピング法、静電塗装などが挙げられるが、特に限定されるものではないものである。
【００３７】
一方、前記カバー基材（１）上に形成する蓄光層（２）と異なる色度の色度層（１２）は、透光性を有するものであって、有機染料、有機顔料、無機顔料などを含むインクやトナー系のもの、塗料として調整されたものを印刷、塗布して形成されるものである。上述した有機染料、有機顔料、無機顔料などの着色剤や、バインダーは、従来公知のものを挙げることができ、所望のデザインに応じて任意に設定すれば良いものである。また、所望の色彩が確保できて、消灯時の発光が視認できれば、色度層（１２）の膜厚は、特に限定されないものである。
【００３８】
そして、前記色度層（１２）は、前記カバー基材（１）において、ランプ（５）と反対側の面に配置されているものであれば、図４に示すごとく、色度層（１２）のみの単層のものであってもかまわないし、図５および図６に示すごとく、蓄光層（２）と色度層（１２）との複層になっているものであってもかまわないものである。
【００３９】
特に、前記蓄光層（２）と前記色度層（１２）との複層になっているもの、いわゆる、前記蓄光層（２）と前記色度層（１２）とを重ねて配置したものであると、カバー基材（１）の表面に、蓄光層（２）と色度層（１２）とを重ねて配置し、模様（３）を形成することによって、例えば、デザインの制約などで、蓄光層（２）の色を認識しにくくしたい場合に対応することが可能となり、点灯時のカバー基材（１）の意匠性がより一層確実に高められて、しかも、消灯時に蓄光層（２）の発光によって、暗所で模様（３）をより一層確実に浮かび上がらせることができるものである。したがって、点灯時に模様（３）としてより一層確実に認識ができて、意匠的に単調なイメージをより一層確実に与えることなく、消灯時に暗所で模様（３）をより一層確実に浮かび上がらせることができるものである。
【００４０】
さらに、前記色度層（１２）が、前記カバー基材（１）において、ランプ（５）と反対側の面に配置されていれば、図７および図８に示すごとく、前記蓄光層（２）としては、前記カバー基材（１）において、ランプ（５）と同じ側の面に配置されていてもかまわないものである。そして、前記色度層（１２）のみの単層のものである場合も、図９に示すごとく、色度層（１２）と蓄光層（２）とを不連続に分布させているものであってもかまわないし、図１０に示すごとく、色度層（１２）と蓄光層（２）とを連続に分布させているものであってもかまわないものである。
【００４１】
図１の（ａ）および図２、図３に示す場合は、前記色度層（１２）のみ、または、前記蓄光層（２）のみの単層のものであり、しかも、前記色度層（１２）と前記蓄光層（２）とを不連続に分布させているものである。そして、この色度層（１２）と蓄光層（２）とのそれぞれの部分で模様（３）を形成させているものである。この色度層（１２）の部分の模様（３）は、点灯時に視認可能なものであるが、消灯時には視認困難となっているものであり、逆に、蓄光層（２）の部分の模様（３）は、点灯時に色度層（１２）の部分の模様（３）よりも視認性が劣るものの、視認可能なものであり、消灯時には発光して視認可能となっているものである。したがって、点灯時に図１の（ａ）のように視認されたものが、消灯時に図１１のように視認されるものである。また、図３に示す場合は、前記蓄光層（２）のみの単層で形成した模様（３）の輪郭を前記色度層（１２）のみの単層で形成した模様（３）で縁取りしたものであり、このように前記色度層（１２）と前記蓄光層（２）とにより、様々な模様（３）を形成することができるものである。
【００４２】
また、蓄光層（２）の場合と同様、カバー基材（１）と色度層（１２）との密着性を向上させるために、必要に応じて、カバー基材（１）と色度層（１２）の間にプライマー層を設けても良いものである。また、他の方法としては、例えば、クロム酸処理などのケミカルエッチング処理、コロナ処理やプラズマ処理などのイオン化放射線処理、オゾン暴露、火災暴露や高圧電撃暴露などによりカバー基材（１）表面を酸化させる化学的、または、物理的処理などの表面処理を施しても良いものである。
【００４３】
このような色度層（１２）を、カバー基材（１）として用いられるフイルムやシート（後に形状体に成形されるものも含む）、あるいは、所望の形状に成形されたグローブやセードなどの成形体の表面に形成する方法としては、例えば、シルクスクリーン法、インクジェット法、電写真方式による転写紙を介したトナーの転写、スプレー法、ディッピング法、静電塗装などが挙げられるが、特に限定されるものではないものである。
【００４４】
以上のような蓄光層（２）と色度層（１２）とを所定の模様（３）、例えば、イルカや犬などの動物類、星や月などの天体関連、花や葉などの植物類、これらをアニメ風に表現したキャラクター類、幾何学模様などの様々な模様（３）に形成することで、ランプ（５）の点灯時と消灯時において、蓄光層（２）と色度層（１２）のいずれかの模様（３）が認識可能となるものである。すなわち、これまでのような単一色の蓄光層（２）からなる模様（３）だけでなく、色度層（１１２）の色彩表現が付加されて、ランプ（５）の点灯時において、意匠的に単調なイメージを与えることがなくなり、これまでにない美観な外観を得ることができるものである。また、ランプ（５）の消灯時においても、充分な輝度の発光を得ることができて、模様を鮮明に浮かび上がらせることができるものである。
【００４５】
また、デザインの制約から、蓄光層（２）の色を認識しにくくしたい場合は、蓄光層（２）と色度層（１２）とを重ねて配置して、模様（３）を形成してもかまわないものである。この場合、所望の色彩が確保できて、消灯時の発光が視認できれば、蓄光層（２）と色度層（１２）との膜厚や配置順序は、特に限定されないものである。
【００４６】
このようにして得られたカバー基材（１）は、様々な照明器具、例えば、天井付け型、吊り下げ型、壁付け型、行燈型、スタンド型、天井埋込型、サイン照明、ディスプレイ照明、看板などに好適に用いることができるものである。
【００４７】
以上のことにより、点灯時に模様（３）として認識ができて、意匠的に単調なイメージを与えることなく、消灯時に暗所で模様（３）を浮かび上がらせることができるような照明用カバーおよびこの照明用カバーを用いた照明器具を得ることができるものである。
【００４８】
【発明の効果】
本発明の請求項１に係る照明用カバーによると、カバー基材（１）のどちらか片面に蓄光剤を配合して、透光性を有する蓄光層（２）を設けるとともに、この蓄光層（２）と異なる色度で透光性を有し、カバー基材（１）において、ランプ（５）と反対側の面に配置される色度層（１２）とを設けて、この色度層（１２）と蓄光層（２）とを所定の模様（３）に形成することで、ランプ（５）の点灯時と消灯時において、蓄光層（２）と色度層（１２）とのいずれかの模様（３）が認識可能となるものであるので、点灯時に模様（３）として認識ができて、意匠的に単調なイメージを与えることなく、点灯時のカバー基材（１）の意匠性が高められ、しかも、消灯時にカバー基材（１）の表面の蓄光層（２）の発光によって、暗所で模様（３）を浮かび上がらせることができるものである。
【００４９】
すなわち、本発明は、点灯時に模様（３）として認識ができて、意匠的に単調なイメージを与えることなく、消灯時に暗所で模様（３）を浮かび上がらせることができるものである。
【００５０】
本発明の請求項２に係る照明用カバーによると、請求項１記載の場合に加えて、カバー基材（１）の表面に、蓄光層（２）と色度層（１２）とを重ねて配置し、模様（３）を形成することによって、例えば、デザインの制約などで、蓄光層（２）の色を認識しにくくしたい場合に対応することが可能となり、点灯時のカバー基材（１）の意匠性がより一層確実に高められて、しかも、消灯時に蓄光層（２）の発光によって、暗所で模様（３）をより一層確実に浮かび上がらせることができるものである。したがって、点灯時に模様（３）としてより一層確実に認識ができて、意匠的に単調なイメージをより一層確実に与えることなく、消灯時に暗所で模様（３）をより一層確実に浮かび上がらせることができるものである。
【００５１】
本発明の請求項３に係る照明用カバーによると、請求項１または請求項２記載の場合に加えて、カバー基材（１）と蓄光層（２）との間に形成されるプライマー層にてカバー基材（１）と蓄光層（２）との密着性を確実に向上させることができるものである。
【００５２】
本発明の請求項４に係る照明用カバーを用いた照明器具によると、請求項１ないし請求項３いずれか記載の照明用カバー（４）をランプ（５）を有する照明器具本体（６）に取り付けて用いることで、ランプ（５）の消灯時に、暗所で浮かび上がらせた模様（３）にて美麗な演出効果を得ることができるとともに、立体的な演出効果を得ることができるものである。
【図面の簡単な説明】
【図１】（ａ）は、本発明の一実施形態に係る照明用カバーおよびこの照明用カバーを用いた照明器具を示し、ランプ点灯時の一部破断した概略図であり、（ｂ）は、本発明の一実施形態に係る照明器具を示した概略図である。
【図２】本発明の一実施形態に係る照明用カバーの模様を示した要部の概略図である。
【図３】本発明の一実施形態に係る照明用カバーの模様の一部を示した要部の概略図である。
【図４】本発明の第１の実施形態に係る照明用カバーの模様を示した断面図である。
【図５】本発明の第２の実施形態に係る照明用カバーの模様を示した断面図である。
【図６】本発明の第３の実施形態に係る照明用カバーの模様を示した断面図である。
【図７】本発明の第４の実施形態に係る照明用カバーの模様を示した断面図である。
【図８】本発明の第５の実施形態に係る照明用カバーの模様を示した断面図である。
【図９】本発明の第６の実施形態に係る照明用カバーの模様を示した断面図である。
【図１０】本発明の第７の実施形態に係る照明用カバーの模様を示した断面図である。
【図１１】本発明の一実施形態に係る照明用カバーおよびこの照明用カバーを用いた照明器具を示し、ランプ消灯時の一部破断した概略図である。
【図１２】一従来例に係る照明用カバーおよびこの照明用カバーを用いた照明器具を示した全体の概略図である。
【図１３】一従来例に係る照明用カバーを示した断面図である。
【符号の説明】
１    カバー基材
２    蓄光層
３    模様
４    照明用カバー
５    ランプ
６    照明器具本体
１２  色度層
【図１】
2004227803.tif 000003
【図２】
2004227803.tif 000004
【図３】
2004227803.tif 000005
【図４】
2004227803.tif 000006
【図５】
2004227803.tif 000007
【図６】
2004227803.tif 000008
【図７】
2004227803.tif 000009
【図８】
2004227803.tif 000010
【図９】
2004227803.tif 000011
【図１０】
2004227803.tif 000012
【図１１】
2004227803.tif 000013
【図１２】
2004227803.tif 000014
【図１３】
2004227803.tif 000015